(57)【特許請求の範囲】
【請求項１】
受信信号を周波数変換するミキサと、
上記ミキサにより周波数変換された受信信号を濾波するアナログフィルタと、
上記アナログフィルタにより濾波されたアナログの受信信号をデジタルに変換するアナログ／デジタル変換部と、
理想フィルタを基準として上記アナログフィルタの帯域制限特性に対して逆特性の帯域制限特性を有し、上記アナログ／デジタル変換部によりデジタルに変換された受信信号を濾波するデジタルフィルタと、
受信信号の受信レベルが、上記アナログ／デジタル変換部の入力と出力との関係が線形性を保てる領域外であると判断される場合に、上記デジタルフィルタによる受信信号の濾波を停止するデジタルフィルタ制御部とを備えた無線装置。
【請求項２】
デジタルフィルタ制御部は、
受信信号の受信レベルを検出する受信レベル検出部と、
デジタルフィルタによる濾波を停止する受信レベル閾値を記憶した閾値記憶部と、
上記受信レベル検出部により検出された受信レベルと上記閾値記憶部により記憶された受信レベル閾値との比較に応じて上記デジタルフィルタによる受信信号の濾波を動作または停止するレベル比較部とを備えたことを特徴とする請求項１記載の無線装置。
【請求項３】
閾値記憶部は、
デジタルフィルタによる濾波を停止する受信レベル閾値として、アナログ／デジタル変換部によって影響される受信信号の線形受信レベル上限値を記憶したことを特徴とする請求項２記載の無線装置。
【請求項４】
閾値記憶部は、
デジタルフィルタによる濾波を停止する受信レベル閾値として、アナログ／デジタル変換部によって影響される受信信号の線形受信レベル下限値を記憶したことを特徴とする請求項２記載の無線装置。
【請求項５】
閾値記憶部は、
デジタルフィルタによる濾波を停止する受信レベル閾値として、アナログ／デジタル変換部によって影響される受信信号の線形受信レベル上限値および線形受信レベル下限値を記憶したことを特徴とする請求項２記載の無線装置。
【請求項６】
デジタルフィルタは、
デジタルフィルタ制御部からの濾波の動作または停止制御に応じて、当該デジタルフィルタによる濾波後の受信信号または濾波前の受信信号を選択して出力する出力選択部を備えたことを特徴とする請求項１記載の無線装置。
【発明の詳細な説明】
【技術分野】
【０００１】  この発明は、移動体通信基地局装置等に適用される無線装置に関するものである。
【背景技術】
【０００２】  一般に、移動体通信で用いられる搬送波の周波数は、主にマイクロ波等の高周波の帯域が用いられているが、一方で、変復調で行われる信号処理は、コストダウン等を図るためにベースバンド帯域で行われることが多い。このために、基地局装置では、高周波で受信したデータをベースバンド帯域や、その中間周波数帯域に変換する回路が必要である。この周波数変換には、帯域制限フィルタの機能を有するデバイスが通常用いられる。この帯域制限フィルタをアナログバンドパスフィルタといい、ルートナイキストフィルタのようにデータを理想的に帯域制限することができるフィルタではないため、データがフィルタを通過すると、符号間干渉を生じ、データが歪んでしまう。【０００３】  アナログバンドパスフィルタを通過することにより歪んだ信号を補正するため、ベースバンド信号処理部に、理想フィルタを基準としてアナログバンドパスフィルタの帯域制限特性に対して逆特性の帯域制限特性を有するデジタルフィルタを設けるものがある。このデジタルフィルタは、複数段のタップと、それぞれに異なった係数を乗算できるような構成をしており、それぞれの係数は、アナログバンドパスフィルタによる帯域制限において、理想的な帯域制限と異なる部分を、理想的な帯域制限に近づけるような値が選ばれる。【０００４】  このような意図に比較的近い用いられ方をする従来のデジタルフィルタのうちの１つとして、例えば、下記特許文献１に記載された方式がある。【０００５】  この方式は、アナログバンドパスフィルタの群遅延による特性の劣化を後段のデジタルフィルタによって補正する方式であり、受信電力レベル（または受信振幅レベル）の非線形入力の場合に起こる帯域制限特性の劣化の補正を行う本願発明の方式とは目的が異なるが、アナログバンドパスフィルタによる特性の劣化をデジタルフィルタによって補正するという手段が類似しているので紹介する。【０００６】  この特許文献１に記載された構成は、アンテナ素子により受信した高周波の受信信号をミキサおよびアナログバンドパスフィルタにより中間周波の受信信号に周波数変換し、周波数変換された受信信号をＡ／Ｄ変換部によりデジタル変換し、このデジタルの受信信号を復調部により復調処理するものである。この復調部には、デジタルフィルタが含まれており、アナログバンドパスフィルタがルートナイキストフィルタのような理想フィルタと異なるが故に生じた信号の歪みをここで補正する。これにより、アナログバンドパスフィルタとデジタルフィルタとの組み合わせで、ルートナイキストフィルタのような理想的な帯域制限に近づけるようにしたものである。【０００７】  また、この特許文献１に記載された構成では、アナログバンドパスフィルタの入力信号と出力信号（あるいは、Ａ／Ｄ変換後の出力信号）とを取り出して、ＬＭＳ（Ｌｅａｓｔ  Ｍｅａｎ  Ｓｑｕａｒｅｓ：最小二乗平均）やＲＬＳ（Ｒｅｃｕｒｓｉｖｅ  Ｌｅａｓｔ  Ｓｑｕａｒｅｓ）等のアルゴリズムを用いてアナログバンドパスフィルタによる群遅延の特性を推定し、デジタルフィルタに対して制御信号を出力し、デジタルフィルタで用いるタップ係数を選べるようにしている。この方式により、常時、群遅延特性を記憶され���いる最適なタップ係数を用いて補正することができるという効果がある。しかしながら、群遅延特性を推定する回路は、特性を早く推定するにはそれだけ回路規模の増大が伴い、回路規模を小さくしようとすると、推定速度は遅くなってしまうことになる。また、受信信号の電力レベル（または振幅レベル）がミキサ、アナログバンドパスフィルタ、およびＡ／Ｄ変換部等の特性を考慮した線形領域ではなくなってしまった場合に、デジタルフィルタに対して正常な制御を行うことができなくなる。すなわち、デジタルフィルタがアナログバンドパスフィルタによる歪みを却って増大させてしまう現象を防ぐことができない。【０００８】  さらに、下記特許文献２に記載された構成では、テスト信号を発生させ、復調部によりデジタルフィルタの後段のデータを出力させ、エラーレートを求め、エラーレートが最小となるように、デジタルフィルタのタップ係数を順次変更させていくようにしている。これにより、アナログバンドパスフィルタとアナログバンドパスフィルタ補正用デジタルフィルタとを組み合わせた復調処理で、最もエラーレートが小さいようなデジタルフィルタが常に選択されるという効果がある。しかしながら、デジタルフィルタのタップ係数を変えつつ、エラーレートを見ていくという手法は、デジタルフィルタによる効果があるという保障を得られるまでの時間が大きくなってしまう。さらに、受信信号の電力レベル（または振幅レベル）がミキサ、アナログバンドパスフィルタ、およびＡ／Ｄ変換部等の特性を考慮した線形領域ではなくなってしまった場合に、デジタルフィルタがアナログバンドパスフィルタによる歪みを却って増大させてしまう現象を防ぐことができない。【０００９】
【特許文献１】特開２００２−１４１８２１号
【特許文献２】特開平１１−１２２３１１号
【発明の開示】
【発明が解決しようとする課題】
【００１０】  従来の無線装置は以上のように構成されているので、受信信号の電力レベル（または振幅レベル）が線形性を保てなくなる程に大きすぎたり、小さすぎたりする場合に、アナログバンドパスフィルタがルートナイキストフィルタのような理想フィルタと異なるが故に起こる歪み以外が原因で起こる歪みが支配的となる。この場合に、デジタルフィルタを用いることによって、デジタルフィルタを用いない場合よりも却って帯域制限特性が劣化してしまう現象が生じるなどの課題があった。【００１１】  この発明は上記のような課題を解決するためになされたもので、受信信号の電力レベル（または振幅レベル）が線形性を保てなくなる程に大きすぎたり、小さすぎたりすることによって、デジタルフィルタが帯域制限特性を却って劣化させてしまうような動作をするのを回避する無線装置を得ることを目的とする。
【課題を解決するための手段】
【００１２】
この発明に係る無線装置は、受信信号の受信レベルが、アナログ／デジタル変換部の入力と出力との関係が線形性を保てる領域外であると判断される場合に、デジタルフィルタによる受信信号の濾波を停止するデジタルフィルタ制御部を備えたものである。
【発明の効果】
【００１３】  以上のように、この発明によれば、デジタルフィルタ制御部により、受信電力レベルがデジタルフィルタによる濾波後の受信信号の歪みを増大してしまうと判断される場合に、そのデジタルフィルタによる受信信号の濾波を停止し、デジタルフィルタの濾波による帯域制限特性の劣化を回避することができる効果がある。
【発明を実施するための最良の形態】
【００１４】実施の形態１．  図１はこの発明の実施の形態１による無線装置を示すブロック図であり、図において、アンテナ素子１は、電波を受信し、ミキサ２は、乗算器等により構成され、アンテナ素子１により受信した高周波の受信信号に局部発振周波等を乗算することにより、受信信号を中間周波に周波数変換するものである。アナログバンドパスフィルタ（アナログフィルタ）３は、ミキサ２により周波数変換された受信信号を濾波し、必要な周波数帯域のみを取り出すものである。Ａ／Ｄ変換部（アナログ／デジタル変換部）４は、アナログバンドパスフィルタ３により濾波されたアナログの受信信号をデジタルに変換するものである。復調部５は、Ａ／Ｄ変換部４によりデジタル変換された受信信号を復調処理し、復調後データを出力するものである。【００１５】  この復調部５において、デジタルフィルタ６は、ルートナイキストフィルタのような理想フィルタを基準としてアナログバンドパスフィルタ３の帯域制限特性に対して逆特性の帯域制限特性を有し、Ａ／Ｄ変換部４によりデジタル変換され、後述するデジタルフィルタ制御部７を通過した受信信号を濾波し、アナログバンドパスフィルタ３が理想フィルタと異なるが故に生じた信号の歪みを補正するものである。これにより、アナログバンドパスフィルタ３とデジタルフィルタ６との組み合わせで、ルートナイキストフィルタのような理想的な帯域制限に近づけるようにするものである。デジタルフィルタ制御部７は、Ａ／Ｄ変換部４によりデジタル変換された受信信号の受信電力レベル（または受信振幅レベル）に応じて、デジタルフィルタ６による受信信号の濾波により歪みを却って増大してしまうと判断される場合に、そのデジタルフィルタ６による受信信号の濾波を停止し、単に受信信号を通過させるようなデジタルフィルタ制御信号を出力するものである。検波等処理部８は、デジタルフィルタ６を通過後の受信信号の検波処理等を行うものであり、復調部５におけるデジタルフィルタ６およびデジタルフィルタ制御部７以外のベースバンド信号処理を行うものである。【００１６】  なお、この図１では１系統の受信機に対応した無線装置について示したが、多系統の受信機に対応した無線装置、すなわち、多ブランチダイバーシチ型の無線装置を構成する場合は、アンテナ素子１、ミキサ２、アナログバンドパスフィルタ３、Ａ／Ｄ変換部４、デジタルフィルタ６、およびデジタルフィルタ制御部７をブランチ数分設け、検波等処理部８に設けたダイバーシチ部においてブランチ合成するようにすれば良い。また、高周波から中間周波に変換するに当たって、一度中間周波に変換してからもう一度周波数変換してより低い中間周波に変換する場合には、ミキサ２およびアナログバンドパスフィルタ３の次に、もう一度、ミキサ２およびアナログバンドパスフィルタ３を設ければ良い。この場合、２台目のミキサ２に乗算される局部発振周波数が１台目のミキサ２の場合と異なり、また、２台目のアナログバンドパスフィルタ３は、１台目のアナログバンドパスフィルタ３に比べて通過可能な周波数帯域を低くする。さらに、二度周波数変換して、さらに、低い中間周波に変換する場合も同様に、さらにミキサ２およびアナログバンドパスフィルタ３を設けることで実現することができる。【００１７】  次に動作について説明する。 図１において、アンテナ素子１により受信された高周波の受信信号は、ミキサ２およびアナログバンドパスフィルタ３により中間波に周波数変換される。【００１８】 図２はルートナイキストフィルタのような理想的な帯域制限とアナログバンドパスフィルタによる帯域制限とを示す特性図であり、点線が理想的な帯域制限、実線がアナログバンドパスフィルタによる帯域制限を示したものである。このように、アナログバンドパスフィルタ３は、ルートナイキストフィルタのようにデータを理想的に帯域制限することができるフィルタではないため、データがこのアナログバンドパスフィルタ３を通過すると、符号間干渉を生じ、データが歪んでしまう。なお、図２では、理想的な帯域制限を台形で示したが、正確には、ルートナイキストフィルタ等の関係式に従った線で構成された形となる。【００１９】 図１において、アナログバンドパスフィルタ３により中間周波に周波数変換された受信信号は、Ａ／Ｄ変換部４によりデジタル変換される。【００２０】  その信号が復調部５においてデジタルで復調処理される。復調部５内において、デジタルの受信信号がデジタルフィルタ制御部７に入力されると、受信電力レベルの大きさにより、後段のデジタルフィルタ６の動作または停止を制御するデジタルフィルタ制御信号をデジタルフィルタ６に対して出力する。デジタルフィルタ制御部７を通過した受信信号は、デジタルフィルタ６により振幅歪みの補正が施され、さらに、検波等処理部８により検波され、復調後データとして出力される。【００２１】 図３はルートナイキストフィルタのような理想的な帯域制限とアナログバンドパスフィルタによる振幅歪みの補正を行うためのデジタルフィルタの帯域制限とを示す特性図であり、点線が理想的な帯域制限、実線がデジタルフィルタによる帯域制限を示したものである。デジタルフィルタによる帯域制限は、理想的な帯域制限を基準として、アナログバンドパスフィルタによる帯域制限に対して逆特性となっている。このように、データがアナログバンドパスフィルタ３を通過すると、符号間干渉を生じ、データが歪んでしまったが、デジタルフィルタ６を組み合わせ、このデジタルフィルタ６の係数をルートナイキストフィルタのような理想的な帯域制限に近づけるように設定することで、振幅歪みの補正を行うことができる。【００２２】 図１において、デジタルフィルタ制御部７では、受信信号が、線形性を保てる領域の受信電力レベル（または受信振幅レベル）であるならば、デジタルフィルタ６において通常のアナログバンドパスフィルタ３による歪みの補正を行うようなデジタルフィルタ制御信号を出力する。また、受信信号が、線形性を保てる領域外の受信電力レベル（または受信振幅レベル）であるならば、デジタルフィルタ６を停止するようなデジタルフィルタ制御信号を出力する。これにより、受信信号が線形性を保てる場合のみ、アナログバンドパスフィルタ３による振幅歪みの補正が施されるようになるので、デジタルフィルタ６により却って振幅歪みの度合いが増すことが無くなるので、特性の大幅な劣化を防ぐことができる。【００２３】 図４��アナログ部に影響される受信信号の線形領域を示す特性図であり、ミキサ２、アナログバンドパスフィルタ３、Ａ／Ｄ変換器４等のアナログ部により影響される受信信号の線形領域について示したものである。図４において、Ｙ［ｄＢ］からＸ［ｄＢ］までが線形領域で、Ｙ［ｄＢ］を下回るか、もしくは、Ｘ［ｄＢ］を上回ると、入力と出力との関係は直線ではなくなり、曲線となっている。すなわち、線形性が保てなくなっている。デジタルフィルタ制御部７では、この図４に示した特性図の線形性に基づいて、受信信号の受信電力レベル（または受信振幅レベル）に応じてデジタルフィルタ制御信号を出力するようにすれば良い。【００２４】  なお、受信信号の受信電力レベル（または受信振幅レベル）が線形性を保っていなくても、デジタルフィルタ６による特性劣化の増大が無ければ、デジタルフィルタ６の制御の切り替わりである受信電力レベル（または受信振幅レベル）の境界値をずらして、デジタルフィルタ６を動作させるように制御しても良い。【００２５】 図５は受信電力レベル（または受信振幅レベル）を変化させた場合のＢＥＲ（Ｂｉｔ  Ｅｒｒｏｒ  Ｒａｔｅ：ビット誤り率）の変化を示す特性図であり、受信電力レベル（または受信振幅レベル）の変動によって、デジタルフィルタ６を動作させた場合とさせなかった場合とでＢＥＲがどのように変化するかを示したものである。なお、図５において、ＲＨは図４におけるＸ［ｄＢ］に応じた線形受信電力（振幅）レベル上限値であり、ＲＬはＹ［ｄＢ］に応じた線形受信電力（振幅）レベル下限値を示したものである。【００２６】  受信電力レベル（または受信振幅レベル）変動量が線形領域の場合は、デジタルフィルタ６を動作させている方が、動作させていない場合よりもＢＥＲが良好である。受信電力レベル（または受信振幅レベル）変動量が線形領域外の場合は、デジタルフィルタ６を動作させている場合は、動作させていない場合よりもＢＥＲが劣化してしまっている。この実施の形態１では、図５において、線形受信電力（振幅）レベル下限値（ＲＬ）から線形受信電力（振幅）レベル上限値（ＲＨ）まではデジタルフィルタ６を動作させ、線形受信電力（振幅）レベル下限値（ＲＬ）を下回るか、線形受信電力（振幅）レベル上限値（ＲＨ）を上回るとデジタルフィルタ６を停止させるので、線形領域外においてもＢＥＲの大幅な劣化を防ぐことができる。【００２７】  以上のように、この実施の形態１によれば、デジタルフィルタ制御部７により、受信電力レベル（または受信振幅レベル）がデジタルフィルタ６による濾波後の受信信号の歪みを却って増大してしまうと判断される場合に、そのデジタルフィルタ６による受信信号の濾波を停止し、デジタルフィルタ６の濾波による帯域制限特性の劣化を回避することができる。  また、デジタルフィルタ制御部７では、受信電力レベル（または受信振幅レベル）が分かるだけで、デジタルフィルタ６の動作を制御することができるので、回路規模の増大を回避することができる。  なお、上記実施の形態１では、デジタルフィルタ制御部７において、Ａ／Ｄ変換部４の出力後の受信電力レベル（または受信振幅レベル）に応じてデジタルフィルタ６の動作を制御したが、受信信号��受信電力レベル（または受信振幅レベル）は、Ａ／Ｄ変換部４の出力後以外のいずれの個所の受信信号の受信電力レベル（または受信振幅レベル）であっても良く、例えば、アナログバンドパスフィルタ３の出力後であっても良い。【００２８】実施の形態２． 図６はこの発明の実施の形態２によるデジタルフィルタ制御部の詳細を示すブロック図であり、図において、受信電力（振幅）レベル検出部１１は、Ａ／Ｄ変換部４によりデジタル変換された受信信号の受信電力レベル（または受信振幅レベル）を検出するものである。制御条件テーブル記憶部（閾値記憶部）１２は、ＲＯＭ等の記憶装置により構成され、デジタルフィルタ６による濾波の動作または停止する受信電力レベル（または受信振幅レベル）閾値等が設定された制御条件テーブルを記憶したものである。レベル比較部１３は、受信電力レベル（または受信振幅レベル）検出部１１により検出された受信電力レベル（または受信振幅レベル）と制御条件テーブル記憶部１２に記憶された制御条件テーブルの受信電力レベル（または受信振幅レベル）閾値との比較に応じてデジタルフィルタ６による受信信号の濾波を動作または停止するデジタルフィルタ制御信号をデジタルフィルタ６に出力するものである。その他の無線装置に関する構成は、図１に示したものと同等である。【００２９】  次に動作について説明する。 図６において、Ａ／Ｄ変換部４によりデジタル変換された受信信号が受信電力（振幅）レベル検出部１１に入力されると、受信電力（振幅）レベル検出部１１は、その受信電力レベル（または受信振幅レベル）を検出し、検出した受信電力レベル（または受信振幅レベル）をレベル比較部１３に出力する。レベル比較部１３では、入力される受信電力レベル（または受信振幅レベル）と、制御条件テーブル記憶部１２に記憶された制御条件テーブルの受信電力レベル閾値（または受信振幅レベル閾値）との比較に応じてデジタルフィルタ制御信号を生成し、デジタルフィルタ６に出力する。【００３０】 図７は制御条件テーブルの一例を示す表図である。この図７に示すように、制御条件として、線形受信電力（振幅）レベル上限値（ＲＨ）≧受信電力（振幅）レベル≧線形受信電力（振幅）レベル下限値（ＲＬ）である場合にデジタルフィルタ６を動作させるようなデジタルフィルタ制御信号を生成させ、受信電力（振幅）レベル＞線形受信電力（振幅）レベル上限値（ＲＨ）、受信電力（振幅）レベル＜線形受信電力（振幅）レベル下限値（ＲＬ）である場合にデジタルフィルタ６を停止させるようなデジタルフィルタ制御信号を生成させるものである。【００３１】  なお、線形受信電力（振幅）レベル上限値（ＲＨ）および線形受信電力（振幅）レベル下限値（ＲＬ）は、Ａ／Ｄ変換部４の入出力特性、アナログ部で用いられるミキサ２、アンプの特性等により受信電力レベル（または受信振幅レベル）の線形領域を求め、その線形領域の情報、アナログバンドパスフィルタ３の特性情報、およびデジタルフィルタ６による補正機能を組み込んだ特性検証用シミュレータを用いてシミュレーションを行うことで求めることができる。また、Ａ／Ｄ変換部４の入出力特性、ミキサ２、アンプの特性等は、それぞれのデータシート等を調べ���ば知ることができる。【００３２】  さらに、図７におけるＲＨおよびＲＬは、必ずしも線形受信電力（振幅）レベル上限値および線形受信電力（振幅）レベル下限値である必要は無く、デジタルフィルタ６による特性が却って劣化する受信電力レベル（または受信振幅レベル）の境界としても良い。【００３３】  以上のように、この実施の形態２によれば、デジタルフィルタ制御部７を、受信電力レベル（または受信振幅レベル）検出部１１、制御条件テーブル記憶部１２、およびレベル比較部１３という簡単な構成によって実現することができ、回路規模の増大を回避することができる。  また、制御条件テーブル記憶部１２に記憶される制御条件テーブルの線形受信電力（振幅）レベル上限値（ＲＨ）および線形受信電力（振幅）レベル下限値（ＲＬ）を、ミキサ２、アナログバンドパスフィルタ３、およびＡ／Ｄ変換部４の各特性から容易に設定することができる。【００３４】実施の形態３． 図８はこの発明の実施の形態３によるデジタルフィルタの詳細を示すブロック図であり、図において、遅延回路２１−０〜２１−１２は、デジタルフィルタ制御部７を通過したデジタルの受信信号を各々遅延するものである。乗算器２２−０〜２２−１２は、遅延回路２１−０〜２１−１２により各々遅延された受信信号とタップ係数Ｃ０〜Ｃ１２とを各々乗算するものである。加算器２３は、各乗算器２２−０〜２２−１２による乗算結果を全て加算するものである。セレクタ（出力選択部）２４は、デジタルフィルタ制御部７からのデジタルフィルタ制御信号に応じて、加算器２３による加算出力、または遅延回路２１−６による遅延出力を選択して出力するものである。その他の無線装置に関する構成は、図１に示したものと同等である。【００３５】  次に動作について説明する。 図８において、デジタルフィルタ制御部７を通過したデジタルの受信信号は、各遅延回路２１−０〜２１−１２に順に入出力され、各々遅延される。遅延回路２１−０〜２１−１２のうちの中間の遅延回路は、遅延回路２１−６であり、遅延回路２１−７から遅延回路２１−１２に進む程、その遅延出力は過去のデータとなり、遅延回路２１−５から遅延回路２１−０に進む程、その遅延出力は未来のデータとなる。この実施の形態３のデジタルフィルタ６では、中間の遅延回路２１−６からの遅延出力をセレクタ２４に出力し、デジタルフィルタ制御部７からこのデジタルフィルタ６を停止（ＯＦＦ）するデジタルフィルタ制御信号が入力された場合に、セレクタ２４により、この遅延回路２１−６からの遅延出力、すなわち、デジタルフィルタ６による濾波前の受信信号が選択されて出力されるようにする。【００３６】  また、各遅延回路２１−０〜２１−１２の各々の遅延出力は、乗算器２２−０〜２２−１２によりタップ係数Ｃ０〜Ｃ１２と各々乗算され、さらに、各乗算器２２−０〜２２−１２による乗算結果を加算器２３により加算し、セレクタ２４に出力する。これら遅延、乗算、および加算により、上記実施の形態１に示したように所望の補正が行われるようにする。【００３７】  デジタルフィルタ制御部７からこのデジタルフィルタ６を動作（ＯＮ）するデジタルフィルタ制御信号が入力された場合に、セレクタ２４��より、この加算器２３からの加算出力、すなわち、デジタルフィルタ６による濾波後の受信信号が選択されて出力されるようにする。【００３８】  以上のように、この実施の形態３によれば、通常のデジタルフィルタに、デジタルフィルタ制御信号の配線、遅延回路２１−６からセレクタ２４への遅延出力の配線、およびセレクタ２４を加えるだけで、受信信号の濾波の動作または停止制御可能なデジタルフィルタ６を実現することができ、回路規模の増大を回避することができる。
【図面の簡単な説明】
【００３９】
【図１】この発明の実施の形態１による無線装置を示すブロック図である。
【図２】ルートナイキストフィルタのような理想的な帯域制限とアナログバンドパスフィルタによる帯域制限とを示す特性図である。
【図３】ルートナイキストフィルタのような理想的な帯域制限とアナログバンドパスフィルタによる振幅歪みの補正を行うためのデジタルフィルタの帯域制限とを示す特性図である。
【図４】アナログ部に影響される受信信号の線形領域を示す特性図である。
【図５】受信電力レベル（または受信振幅レベル）を変化させた場合のＢＥＲの変化を示す特性図である。
【図６】この発明の実施の形態２によるデジタルフィルタ制御部の詳細を示すブロック図である。
【図７】制御条件テーブルの一例を示す表図である。
【図８】この発明の実施の形態３によるデジタルフィルタの詳細を示すブロック図である。
【図１】
0004173518.tif 000002
【図２】
0004173518.tif 000003
【図３】
0004173518.tif 000004
【図４】
0004173518.tif 000005
【図５】
0004173518.tif 000006
【図６】
0004173518.tif 000007
【図７】
0004173518.tif 000008
【図８】
0004173518.tif 000009